(57)【要約】【課題】設置床面の水平レベルが正確でなくても良好な外観を得ることができる収納キャビネット及びシステムキッチンを提供する。【解決手段】収納キャビネット１は、キャビネット本体１１と、キャビネット本体１１の前面の開口部１１ａを開閉する左右一対の引き違い扉１２と、一対の引き違い扉１２それぞれの左右方向外端部を支持している左右一対のスライド機構１４と、一方の引き違い扉１２における左右方向内端部の裏側、及び当該裏側に対応するキャビネット本体１１の前側のうち、一方側に設けられたマグネット部材１５と、他方側に設けられた磁性部材とを備える。マグネット部材１５及び磁性部材１２ｂは、一方の引き違い扉１２がスライド機構１４により後方へ引き込まれて閉鎖するときに磁性部材１２ｂがマグネット部材１５に吸着することによって一対の引き違い扉１２の前面１２ａ同士が面一となる位置に配置されている。【選択図】図４
2018100513.tif 000002
【特許請求の範囲】
【請求項１】
前面に開口部を有するキャビネット本体と、
前記キャビネット本体の前記開口部を開閉する左右一対の引き違い扉と、
前記キャビネット本体に設けられ、前記一対の引き違い扉それぞれの左右方向外端部を支持している左右一対のスライド機構と、を備え、
前記各スライド機構は、対応する前記引き違い扉を開放した状態から閉鎖するときに、当該引き違い扉を左右方向にスライドさせてから後方へ引き込むように構成されている、収納キャビネットであって、
少なくとも一方の前記引き違い扉における左右方向内端部の裏側、及び当該裏側に対応する前記キャビネット本体の前側のうち、一方側に設けられたマグネット部材と、他方側に設けられ前記マグネット部材に磁力で吸着される磁性部材と、を備え、
前記マグネット部材及び前記磁性部材は、前記一方の引き違い扉が前記スライド機構により後方へ引き込まれたときに、前記磁性部材が前記マグネット部材に吸着することによって前記一対の引き違い扉の前面同士が面一となる位置に配置されている、収納キャビネット。
【請求項２】
前記一方の引き違い扉は、磁性材料よりなる基板にシリカを主成分とする釉薬を焼成させたホーローパネルからなり、
前記ホーローパネルにおける左右方向内端部の裏側が、前記磁性部材とされている、請求項１に記載の収納キャビネット。
【請求項３】
前記一方の引き違い扉に設けられている前記マグネット部材又は前記磁性部材は、当該引き違い扉における左右方向内端部の裏側の上側部分に配置されている、請求項１又は２に記載の収納キャビネット。
【請求項４】
シンクが設けられたキッチン本体と、
前記キッチン本体の背面側に設けられた請求項１〜３のいずれか１項に記載の収納キャビネットと、を備えたシステムキッチン。
【発明の詳細な説明】
【技術分野】
【０００１】
本発明は、収納キャビネット及びシステムキッチンに関する。
【背景技術】
【０００２】
左右一対の引き違い扉を備えた収納キャビネットには、その意匠性を向上させるために、これら一対の引き違い扉を閉鎖した状態で、両扉の前面同士が面一となるものが知られている（例えば、特許文献１参照）。特許文献１の図３（ａ）〜図３（ｃ）に示すように、このような収納キャビネットには、各引き違い扉を個別にスライドさせる左右一対のスライド機構が設けられている。
【０００３】
各スライド機構は、対応する引き違い扉を開放するときには、当該引き違い扉を閉鎖した状態から他の引き違い扉よりも前方に引き出してから左右方向にスライドさせ、対応する引き違い扉を閉鎖するときには、当該引き違い扉を、閉鎖状態の他の引き違い扉と前後方向に重ならない位置まで左右方向にスライドさせてから後方へ引き込むように構成されている。
【０００４】
また、各スライド機構には、対応する引き違い扉を支持する支持具（特許文献１の「エクステンションアーム１４，１５」等）が前方に突出して設けられており、これら一対の支持具の前端部は、対応する引き違い扉の裏面における左右方向外側の偏った位置に固定されている。これにより、一対の引き違い扉を閉鎖した状態から、一方の引き違い扉を前方に引き出して他方の引き違い扉側へスライドさせて開放しても、両扉の支持具同士が互いに干渉することがないので、前記一方の引き違い扉を最大限開放させることができる。
【先行技術文献】
【特許文献】
【０００５】
【特許文献１】特表２０１６−５２０７４２号公報
【発明の概要】
【発明が解決しようとする課題】
【０００６】
しかしながら、上記収納キャビネットにあっては、当該収納キャビネットを設置する床面の水平レベルが正確でない場合、図６に示すように、左右一対の引き違い扉１０１，１０２のうち、例えば一方の引き違い扉１０２を後方へ引き込んで閉鎖しても、その左右方向内端部１０２ａ（支持具が固定されていない端部）が、閉鎖状態の他方の引き違い扉１０１の左右方向内端部１０１ａよりも前方に突出した状態となる場合がある。この場合には、両扉１０１，１０２の前面１０１ｂ，１０２ｂ同士が面一とならないため、収納キャビネットの外観が損なわれるという問題があった。
【０００７】
本発明はこのような事情に鑑みてなされたものであり、設置床面の水平レベルが正確でなくても良好な外観を得ることができる収納キャビネットを提供することを目的とする。
【課題を解決するための手段】
【０００８】
本発明は、前面に開口部を有するキャビネット本体と、前記キャビネット本体の前記開口部を開閉する左右一対の引き違い扉と、前記キャビネット本体に設けられ、前記一対の引き違い扉それぞれの左右方向外端部を支持している左右一対のスライド機構と、を備え、前記各スライド機構は、対応する前記引き違い扉を開放した状態から閉鎖するときに、当該引き違い扉を左右方向にスライドさせてから後方へ引き込むように構成されている、収納キャビネットであって、少なくとも一方の前記引き違い扉における左右方向内端部の裏側、及び当該裏側に対応する前記キャビネット本体の前側のうち、一方側に設けられたマグネット部材と、他方側に設けられ前記マグネット部材に磁力で吸着される磁性部材と、を備え、前記マグネット部材及び前記磁性部材は、前記一方の引き違い扉が前記スライド機構により後方へ引き込まれたときに、前記磁性部材が前記マグネット部材に吸着することによって前記一対の引き違い扉の前面同士が面一となる位置に配置されている、収納キャビネットである。
【０００９】
本発明によれば、収納キャビネットの設置床面の水平レベルが正確でなくても、一方の引き違い扉をスライド機構により後方へ引き込んで閉鎖するときに、磁性部材がマグネット部材に磁力で吸着されることによって、左右一対の引き違い扉の前面同士が面一となる。これにより、一対の引き違い扉を閉鎖した状態で、一方の引き違い扉の左右方向内端部が前方に突出するのを防止することができるので、良好な外観を得ることができる。
【００１０】
前記一方の引き違い扉は、磁性材料よりなる基板にシリカを主成分とする釉薬を焼成させたホーローパネルからなり、前記ホーローパネルにおける左右方向内端部の裏側が、前記磁性部材とされているのが好ましい。
この場合、引き違い扉に磁性部材を別途設ける必要がないので、収納キャビネットの構成を簡素化することができる。
【００１１】
前記一方の引き違い扉に設けられている前記マグネット部材又は前記磁性部材は、当該引き違い扉における左右方向内端部の裏側の上側部分に配置されているのが好ましい。
収納キャビネットの設置床面の水平レベルが正確でない場合、一対の引き違い扉を閉鎖した状態で、一方の引き違い扉の左右方向内端部は、その下側部分よりも上側部分の方が前方に突出した状態となりやすい。これに対して、本発明では、前記一方の引き違い扉における左右方向内端部の裏側の上側部分に配置されたマグネット部材及び磁性部材のうちの一方が磁力により他方に吸着されるので、前記上側部分を後方へ引き込むことができる。したがって、引き違い扉の左右方向内端部が前方に突出するのを効果的に防止することができる。
【００１２】
他の観点からみた本発明は、シンクが設けられたキッチン本体と、前記キッチン本体の背面側に設けられた請求項１〜３のいずれか１項に記載の収納キャビネットと、を備えたシステムキッチンである。この場合、上述した収納キャビネットと同様の作用効果を奏する。
【発明の効果】
【００１３】
本発明によれば、収納キャビネットの設置床面の水平レベルが正確でなくても良好な外観を得ることができる。
【図面の簡単な説明】
【００１４】
【図１】本発明の一実施形態に係る収納キャビネットを備えたシステムキッチンの斜視図である。
【図２】システムキッチンの断面図である。
【図３】一方の引き違い扉を開放した状態を示す収納キャビネットの斜視図である。
【図４】一方の引き違い扉を後方へ引き込むときの状態を示す収納キャビネットの平面図である。
【図５】磁性部材の変形例を示す平面図である。
【図６】従来の収納キャビネットの平面図である。
【発明を実施するための形態】
【００１５】
次に、本発明の好ましい実施形態について添付図面を参照しながら説明する。
図１は、本発明の一実施形態に係る収納キャビネットを備えたシステムキッチンの斜視図である。図２は、そのシステムキッチンの断面図である。図１及び図２において、本実施形態のシステムキッチン１は、キッチンと共用空間（リビングルーム、ダイニングルーム又はそれらの兼用ルーム）とを仕切る状態で室内に設置される対面式のものである。
【００１６】
システムキッチン１は、横長の直方体状のボックスよりなるキッチン本体２と、このキッチン本体２の背面側に設けられた収納キャビネット３とを備えている。キッチン本体２には、各種物品を内部に収容できる引き出しタイプの収容部４が上下方向に複数設けられている。
【００１７】
また、キッチン本体２の上端部にはカウンタトップ５が設けられており、このカウンタトップ５の上面の左右方向両側には、ガスコンロ等よりなる加熱器具６と、食器等の洗い場となるシンク７とが取り付けられている。カウンタトップ５は、キッチン本体２よりも後方（図２の左側）に延びる延長部５ａを有しており、この延長部５ａの下方に収納キャビネット３が設置されている。
【００１８】
収納キャビネット３は、共用空間側の前面に開口部１１ａ（図３参照）を有するキャビネット本体１１と、このキャビネット本体１１の開口部１１ａを開閉する左右一対の引き違い扉１２と、これらの引き違い扉１２それぞれの左右方向外端部を支持している左右一対のスライド機構１４（図２では左右方向一方側のみ図示）とを備えている。
【００１９】
キャビネット本体１１は、キッチン本体２とほぼ同一の横長さを有する直方体状のボックスよりなり、設置台２１、底板２２、背面板２３、側面板２４、天板２５、及び複数の棚板２６を備えている。設置台２１は、前板部２１ａ及び後板部２１ｂからなり、後板部２１ｂの上面に底板２２が載置して固定されている。
【００２０】
各引き違い扉１２（以下、単に「扉１２」ともいう）は、磁性材料よりなる基板にシリカを主成分とする釉薬を焼成させたホーローパネルからなり、その前面１２ａの左右方向外端部には、上下方向に延びて形成された引手１３が取り付けられている。両扉１２は、キャビネット本体１１の開口部１１ａを閉鎖した状態において、両扉１２の前面１２ａ同士が面一となるように配置されている（図１参照）。
【００２１】
各スライド機構１４は、対応する扉１２をキャビネット本体１１に対してスライド可能に支持するものであり、底板２２の下方に配置された下側スライド部３１と、天板２５の下方に配置された上側スライド部３２とを備えている。下側スライド部３１は、扉１２の左右方向外端部の下側を支持しながら、前後方向及び左右方向にスライドする一対の支持部３１ａを有している。上側スライド部３２は、扉１２の左右方向外端部の上側を支持しながら、前後方向及び左右方向にスライドする支持部３２ａを有している。
なお、下側スライド部３１及び上側スライド部３２の具体的な構成は、上記特許文献１（特表２０１６−５２０７４２号公報）等に記載された従来のスライド機構と同様であって周知であるため、その説明を省略する。
【００２２】
以上の構成により、図１に示す閉鎖状態から一方の扉１２を開放するときは、スライド機構１４によって、図２の二点鎖線で示すように、一方の扉１２を他方の扉１２よりも前方に引き出してから左右方向にスライドさせる。これにより、図３に示すように、一方の扉１２を他方の扉１２と干渉することなく開放することができる。また、両扉１２をそれぞれ支持している支持部３１ａ，３２ａは、各扉１２の左右方向外端部に配置されているので、両扉１２を支持している支持部３１ａ同士及び支持部３２ａ同士が互いに干渉することはない。このため、各扉１２を最大限開放させることができる。
【００２３】
一方、図３に示す状態から一方の扉１２を閉鎖するときは、スライド機構１４によって一方の扉１２を他方の扉１２と前後方向に重ならない位置まで左右方向にスライドさせてから、図１に示すように、両扉１２の前面１２ａ同士が面一となるまで後方へ引き込む。これにより、一方の扉１２を他方の扉１２と干渉することなく閉鎖することができる。
【００２４】
ところで、上記のように構成された収納キャビネット３の各扉１２は、対応するスライド機構１４により左右方向外端部が支持された状態、つまり片持ちの状態で支持されているため、収納キャビネット３が設置される床面の水平レベルが正確でない場合、両扉１２を閉鎖した状態で、各扉１２の左右方向内端部が前方に突出し、両扉１２の前面１２ａ同士が面一にならない場合がある。
【００２５】
このような場合、一方の扉１２については、スライド機構１４に備えられた調整部（図示省略）によって当該扉１２の位置を調整することで、前記前方への突出を防止することができる。しかし、他方の扉１２については、対応するスライド機構１４の前記調整部によって当該扉１２の位置を調整しても、前記前方への突出を抑えることができず、両扉１２の前面１２ａ同士を面一にすることができない場合がある。
【００２６】
そこで、本実施形態では、図３に示すように、一方（図では右側）の扉１２における左右方向内端部の上側に対応するキャビネット本体１１の前部にマグネット部材１５が取り付けられている。このマグネット部材１５は、例えば直方体形状に形成されており、その一面１５ａを前方に向けた状態で、天板２５の下面の前端部に固定されている。
【００２７】
図４に示すように、マグネット部材１５の一面１５ａには、スライド機構１４により前記一方の扉１２が後方へ引き込まれて閉鎖されるときに、ホーローパネルからなる当該扉１２の左右方向内端部における裏面の上側部分１２ｂが磁力によって吸着される。したがって、本実施形態では、扉１２の前記上側部分１２ｂが、マグネット部材１５に磁力で吸着される磁性部材とされている。
【００２８】
マグネット部材１５及び磁性部材１２ｂは、一方の扉１２が後方へ引き込まれたときに、磁性部材１２ｂがマグネット部材１５に吸着されることによって両扉１２の前面１２ａ同士が面一となる位置に配置されている。
【００２９】
以上のように、本実施形態のシステムキッチン１および収納キャビネット３によれば、収納キャビネット３の設置床面の水平レベルが正確でなくても、一方の扉１２をスライド機構１４により後方へ引き込んで閉鎖するときに、磁性部材１２ｂがマグネット部材１５に磁力で吸着されることによって、左右一対の扉１２の前面１２ａ同士が面一となる。これにより、両扉１２を閉鎖した状態で、一方の扉１２の左右方向内端部が前方に突出するのを防止することができるので、良好な外観を得ることができる。
【００３０】
また、扉１２は、磁性材料よりなる基板にシリカを主成分とする釉薬を焼成させたホーローパネルからなり、そのホーローパネルにおける左右方向内端部の裏側が磁性部材１２ｂとされている。これにより、扉１２に磁性部材を別途設ける必要がないので、収納キャビネット３の構成を簡素化することができる。
【００３１】
また、扉１２における左右方向内端部の裏側の上側部分１２ｂが磁性部材とされているので、以下の作用効果を奏する。収納キャビネット３の設置床面の水平レベルが正確でない場合、扉１２を閉鎖した状態で、当該扉１２の左右方向内端部は、その下側部分よりも上側部分の方が前方に突出した状態となりやすい。これに対して、本発明では、扉１２における左右方向内端部の裏側の上側部分１２ｂを磁性部材とし、この磁性部材を、キャビネット本体１１側に設けられたマグネット部材１５に磁力により吸着させるようにしたので、扉１２の前記上側部分１２ｂを後方へ引き込むことができる。したがって、一方の扉１２の左右方向内端部が前方に突出するのを効果的に防止することができる。
【００３２】
図５は、磁性部材の変形例を示す平面図である。本変形例では、マグネット部材１５に磁力で吸着される磁性部材として、磁性金属からなるねじ１６を用いている。このねじ１６は、例えば皿ねじからなり、マグネット部材１５の一面１５ａに対応する扉１２に裏面側に、磁性金属からなるワッシャー１７を介して螺着されており、ねじ１６の頭部１６ａ及びワッシャー１７がマグネット部材１５の一面１５ａに磁力により強固に吸着されるようになっている。本変形例は、扉１２がホーローパネル以外の非磁性材料を用いて作製されている場合に有効である。
【００３３】
なお、今回開示した実施形態は例示であって制限的なものではない。本発明の権利範囲は特許請求の範囲によって示され、特許請求の範囲の構成と均等の範囲内での全ての変更が含まれる。例えば、上記実施形態では、収納キャビネット３をシステムキッチン１に使用しているが、他のシステムに使用してもよいし、収納キャビネット３単体で使用してもよい。
【００３４】
また、上記実施形態の磁性部材１２ｂ（１６）は、扉１２における左右方向内端部の裏面の上側部分に設けられているが、両扉１２の前面１２ａ同士を面一にすることができれば、扉１２の前記裏面における下側部分や中央部分など、上側部分以外の位置に設けられていてもよい。この場合、マグネット部材１５は、扉１２側に設けられた磁性部材１２ｂ（１６）の位置に対応するキャビネット本体１１の前側に設ければよい。
【００３５】
また、上記実施形態では、マグネット部材１５をキャビネット本体１１側に設け、磁性部材１２ｂ（１６）を扉１２側に設けているが、磁性部材１２ｂ（１６）をキャビネット本体１１側に設け、マグネット部材１５を扉１２側に設けてもよい。
また、本実施形態では、磁性部材１２ｂ（１６）を一方の扉１２のみに設けているが、他方の扉１２のみに設けてもよいし、両扉１２に設けてもよい。前者の場合、マグネット部材１５は、他方の扉１２に設けられた磁性部材１２ｂ（１６）に対応するキャビネット本体１１の前側に設ければよい。また、後者の場合、マグネット部材１５は、両扉１２に設けられた２個の磁性部材１２ｂ（１６）それぞれに対応するキャビネット本体１１の前側に２個設ければよい。
【符号の説明】
【００３６】
１  システムキッチン
２  キッチン本体
３  収納キャビネット
７  シンク
１１  キャビネット本体
１１ａ  開口部
１２  引き違い扉
１２ａ  前面
１２ｂ  上側部分（磁性部材）
１４  スライド機構
１５  マグネット部材
【図１】
2018100513.tif 000003
【図２】
2018100513.tif 000004
【図３】
2018100513.tif 000005
【図４】
2018100513.tif 000006
【図５】
2018100513.tif 000007
【図６】
2018100513.tif 000008